(57)【要約】【課題】本発明の課題は、威嚇効果が高く、鳥獣が慣れを起こしにくい移動体威嚇式鳥獣追い払い装置を提供することである。【解決手段】本発明の移動体威嚇式鳥獣追い払い装置は、引き又は戻しにより移動する移動ワイヤーと移動ワイヤーを移動自在に支持する滑車を備えた支持柱と、移動ワイヤーを所望の時に引き、又は戻す駆動をするワイヤー駆動装置とワイヤー駆動装置の駆動を制御する制御器と、移動ワイヤーに取り付いていて、移動ワイヤーとともに移動する威嚇移動体と、移動しないときに威嚇移動体を侵入する鳥獣から見えないように隠す隠しカバーとを備える。【選択図】図１
2017070253.tif 000002
【特許請求の範囲】
【請求項１】
引き又は戻しにより移動する移動ワイヤーと前記移動ワイヤーを移動自在に支持する滑車を備えた支持柱と、前記移動ワイヤーを所望の時に引き、又は戻す駆動をするワイヤー駆動装置と前記ワイヤー駆動装置の駆動を制御する制御器と、前記移動ワイヤーに取り付いていて、前記移動ワイヤーとともに移動する威嚇移動体と、移動しないときに前記威嚇移動体を侵入する鳥獣側から見えないように隠す隠しカバーとを備え、前記隠しカバーは、前記支持柱、又は前記支持柱間又は前記支持柱とは異なる立設柱間に渡された隠しカバー支持体に取り付けられていて、前記威嚇移動体は、前記移動ワイヤーの引き又は戻しの時に、突然出現し移動してきて前記鳥獣の視界に入ることで威嚇効果を高め、慣れ防止を図ったことを特徴とする移動体威嚇式鳥獣追い払い装置。
【請求項２】
前記隠しカバーは、栽培エリアの周囲の地上から侵入する獣に対応する場合には、前記栽培エリアの周囲に前記支持柱又は、前記支持柱間又は前記支持柱とは異なる立設柱間に渡された隠しカバー支持体に設置される前記隠しカバーの面は、水平方向に向いて設置され、及び、前記栽培エリアの天面から侵入する鳥に対応する場合には、前記栽培エリアの天面に前記支持柱又は、前記支持柱間又は前記支持柱とは異なる立設柱間に渡された隠しカバー支持体を介して設置される前記隠しカバーは、天面すなわち地上に垂直な方向を向いて設置されていることを特徴とする請求項１記載の移動体威嚇式鳥獣追い払い装置。
【請求項３】
前記隠しカバーは、前記支持柱以外の前記隠しカバー支持体に付けることで、前記支持柱の数を減らすことを特徴とする請求項１又は請求項２記載の移動体威嚇式鳥獣追い払い装置。
【請求項４】
前記隠しカバーを天面に設置する場合に、前記隠しカバー支持体と前記隠しカバーの面の中心を所望の間隔で接続し、ぶら下げる形態にすることで、自然なバランスにより、前記隠しカバーの面が地上に垂直な方向を向くようにしたことを特徴とする請求項１から請求項３のいずれか１つに記載の移動体威嚇式鳥獣追い払い装置。
【請求項５】
前記威嚇移動体は、前記移動時に、形が大きく変わる、又は及び、前記威嚇移動体の構成部分が動く、又は及び、明るさ又は及び色の変わる光を発する、又は及び、大きさ又は及び周波数が変わる音を発することを特徴とする請求項１から請求項４のいずれか１つに記載の移動体威嚇式鳥獣追い払い装置。
【発明の詳細な説明】
【技術分野】
【０００１】
本発明は、農産物に害を与える鳥獣を移動体により威嚇し、栽培エリアへの侵入を阻止し追い払う装置に関するものである。
【背景技術】
【０００２】
水田、畑、牧場など農産物の栽培エリアには、猿、イノシシ、熊、カラスなどの鳥獣が新侵入し、農産物に被害を与えるため、従来、農場の周りに、電気柵を回したり、案山子を設置したり、音や光で威嚇する装置が提案され、使用に供されている。しかしながら、これらの欠点は、これらの鳥獣は、これらの威嚇装置にすぐ慣れてしまい、追い払いの効果が無くなることである。動きが無いものは、慣れやすいということである。鳥獣が怖がるものは、天敵の動物や人間自体であり、これらは、動きが有るものである。更に突然出現するものには、確認の暇もなく恐れるものである。
このような状態に対して、図８に示すような商品や提案がなされている。
図８は、従来の移動体威嚇式鳥獣追い払い装置の例を示す図である。
８−Ａには、株式会社タイガー社から市販されている「全自動斜め打上げ式鳥害防止機器：ロケットバング」であり、取扱説明書から骨子を掲載させていただいた。地面に立てたポール間に張った誘導ワイヤに沿って、発射筒からおどしボールを発射するものである。ついでに発射音も出るので、威嚇効果が高い。欠点は、おどしボールが発射筒から飛び出して誘導ワイヤを移動する性質上、移動距離の長い、すなわち、栽培エリアで設置距離が長くなるところに設置しても効果が低い。おどしボールが届く前に鳥獣は、侵入できてしまうからである。且つ、移動速度を上げて、届く時間を短くすることは、それだけ、おどしボールの重量と大きな速度が必要で、発射筒側のパワーが必要であり、又、子供等が近づいて当たった場合には、大怪我になる危険性も含んでいる。
このようなことから、このような発射体による威嚇は、所定以下の距離の小区間ごとに適用する制限がある。
【０００３】
このような事情に対して、特許文献１と特許文献２には、所定以下の距離の小区間ごとに適用する提案がなされている。
８−Ｂにおいて、複数の支持柱に張ったワイヤー部に威嚇材が取り付けられ、ワイヤは鹿威に接続している。威嚇材は、支持柱間のワイヤー部に各々取りついている。電源のない栽培エリアに使用できるように、水の流れと鹿威による往復運動でワイヤー部を引きまた戻すようにしたものである。鹿威による往復運動なので、引き、戻しの移動距離は短く、また速度も遅いので、脅しの効果がそれほど大きくはできない。また、ワイヤー部を駆動するには鹿威を大きく構成する必要がある。また、川の傍など大量の水流が得られる環境にしか使えない。また、一番の欠点は、速度も遅いに加えて、威嚇材が常時、鳥獣に見えているため、多少移動しても慣れに繋がりやすい。
【０００４】
８−Ｃには、複数の支持柱に張ったワイヤー部に威嚇材が取り付けられている点は、８−Ｂと同様だが、駆動は、鹿威ではなく、発動機などの駆動体である。これは、引き、戻しの移動距離と速度は、駆動体によって、所望の値に設定できるので、１−Ｂよりは、脅しの効果は高い。しかしながら、威嚇材が常時、鳥獣に見えているため、多少移動しても慣れに繋がりやすいという欠点が残っており、長期の威嚇効果は期待できない。
【先行技術文献】
【特許文献】
【０００５】
【特許文献１】特開２０１３−２３３１３９
【特許文献２】特開２００６−７５１００
【発明の概要】
【発明が解決しようとする課題】
【０００６】
以上のような従来例の欠点を補い、本発明の課題は、威嚇効果が高く、鳥獣が慣れを起こしにくい移動体威嚇式鳥獣追い払い装置を提供することである。
【課題を解決するための手段】
【０００７】
本発明にかかる移動体威嚇式鳥獣追い払い装置は、移動ワイヤーと移動ワイヤーを移動自在に支持する滑車を備えた支持柱と、移動ワイヤーを所望の時に引き、又は戻す駆動をするワイヤー駆動装置とワイヤー駆動装置の駆動を制御する制御器と、移動ワイヤーに取り付いていて、移動ワイヤーとともに移動する威嚇移動体と、移動しないときに威嚇移動体を侵入する鳥獣から見えないように隠す隠しカバーとを備えている。
以下、請求項に沿って記述する。
【０００８】
請求項１記載の発明は、移動体威嚇式鳥獣追い払い装置であって、
引き又は戻しにより移動する移動ワイヤーと前記移動ワイヤーを移動自在に支持する滑車を備えた支持柱と、前記移動ワイヤーを所望の時に引き、又は戻す駆動をするワイヤー駆動装置と前記ワイヤー駆動装置の駆動を制御する制御器と、前記移動ワイヤーに取り付いていて、前記移動ワイヤーとともに移動する威嚇移動体と、移動しないときに前記威嚇移動体を侵入する鳥獣側から見えないように隠す隠しカバーとを備え、前記隠しカバーは、前記支持柱、又は前記支持柱間又は前記支持柱とは異なる立設柱間に渡された隠しカバー支持体に取り付けられていて、前記威嚇移動体は、前記移動ワイヤーの引き又は戻しの時に、突然出現し移動してきて前記鳥獣の視界に入ることで威嚇効果を高め、慣れ防止を図ったことを特徴とする。
【０００９】
請求項２記載の発明は、請求項１記載の移動体威嚇式鳥獣追い払い装置において、
前記隠しカバーは、栽培エリアの周囲の地上から侵入する獣に対応する場合には、前記栽培エリアの周囲に前記支持柱又は、前記支持柱間又は前記支持柱とは異なる立設柱間に渡された隠しカバー支持体に設置される前記隠しカバーの面は、水平方向に向いて設置され、及び、前記栽培エリアの天面から侵入する鳥に対応する場合には、前記栽培エリアの天面に前記支持柱又は、前記支持柱間又は前記支持柱とは異なる立設柱間に渡された隠しカバー支持体を介して設置される前記隠しカバーは、天面すなわち地上に垂直な方向を向いて設置されていることを特徴とする。
【００１０】
請求項３記載の発明は、請求項１又は請求項２記載の移動体威嚇式鳥獣追い払い装置において、
前記隠しカバーは、前記支持柱以外の前記隠しカバー支持体に付けることで、前記支持柱の数を減らすことを特徴とする。
【００１１】
請求項４記載の発明は、請求項１から請求項３のいずれか１つに記載の移動体威嚇式鳥獣追い払い装置において、
前記隠しカバーを天面に設置する場合に、前記隠しカバー支持体と前記隠しカバーの面の中心を所望の間隔で接続し、ぶら下げる形態にすることで、自然なバランスにより、前記隠しカバーの面が地上に垂直な方向を向くようにしたことを特徴とする。
【００１２】
請求項５記載の発明は、請求項１から請求項４のいずれか１つに記載の移動体威嚇式鳥獣追い払い装置において、
前記威嚇移動体は、前記移動時に、形が大きく変わる、又は及び、前記威嚇移動体の構成部分が動く、又は及び、明るさ又は及び色の変わる光を発する、又は及び、大きさ又は及び周波数が変わる音を発することを特徴とする。
【発明の効果】
【００１３】
以上の様に構成されているので、本発明による移動体威嚇式鳥獣追い払い装置は、常時は見えていない威嚇移動体が突然、大きな速度で移動して、鳥獣の視野に入ってくるので、威嚇効果が高く、鳥獣が慣れを起こしにくい。
【図面の簡単な説明】
【００１４】
【図１】本発明の移動体威嚇式鳥獣追い払い装置の一実施態様を示す図である。
【図２】本発明の移動体威嚇式鳥獣追い払い装置の他の一実施態様を示す図である。
【図３】本発明の移動体威嚇式鳥獣追い払い装置の他の一実施態様を示す図である。
【図４】本発明の移動体威嚇式鳥獣追い払い装置の他の一実施態様を示す図である。
【図５】本発明の移動体威嚇式鳥獣追い払い装置の栽培場所の外周に設置する一実施態様を示す図である。
【図６】本発明の移動体威嚇式鳥獣追い払い装置の栽培場所の天面に設置する一実施態様を示す図である。
【図７】本発明の移動体威嚇式鳥獣追い払い装置の威嚇移動体の一実施態様を示す図である。
【図８】従来の移動体威嚇式鳥獣追い払い装置の例を示す図である。
【発明を実施するための形態】
【００１５】
本発明による移動体威嚇式鳥獣追い払い装置は、引き又は戻しにより移動する移動ワイヤーと移動ワイヤーを移動自在に支持する滑車を備えた支持柱と、移動ワイヤーを所望の時に引き、又は戻す駆動をするワイヤー駆動装置とワイヤー駆動装置の駆動を制御する制御器と、移動ワイヤーに取り付いていて、移動ワイヤーとともに移動する威嚇移動体と、移動しないときに威嚇移動体を侵入する鳥獣から見えないように隠す隠しカバーとを備えている。
以下図に沿って説明する。
【００１６】
図１は、本発明の移動体威嚇式鳥獣追い払い装置の一実施態様を示す図である。
１−Ａは、栽培エリアの周囲の地上から侵入する獣に対応するものである。
支持柱１１０は、滑車１１１を備えていて、移動ワイヤー１２０が移動自在に支持されている。
移動ワイヤー１２０は、ワイヤー駆動装置１３０により所望の時に引き、又は戻すことができる。更に、ワイヤー駆動装置１３０は、制御器１４０により、所望の時に駆動を制御される。移動ワイヤー１２０には、侵入する獣を威嚇するための威嚇移動体１５０が取り付けられている。隠しカバー１６０がこの例では、支持柱１１０に取り付けられていて、所望の時以外の常時は、威嚇移動体１５０は、隠しカバー１６０の裏側にあって、侵入する獣からは見えない位置にある。所望の時に移動ワイヤー１２０が移動すると、それにつれて、威嚇移動体１５０が突然出現し、速い速度で獣の視界に飛び込んでくるため、威嚇効果が高くなる。
又、常時は見えないので、慣れにくい長所がある。威嚇移動体１５０としては、天敵のオオカミや犬や、武器を持った人間、発光体などが使用できる。ワイヤー駆動装置１３０は、移動ワイヤー１２０を巻き取るモーターなどの回転装置、回転アームなどが使用できるが、これにこだわらない。隠しカバー１６０は、威嚇移動体１５０が侵入する獣側から見えなければよいので、威嚇移動体１５０を完全にカバーする必要はない。
尚、１−Ａにおいては、地上から侵入する獣に対応するので、隠しカバー１６０の面は、水平方向に向いている。これに対して、１−Ｂでは、隠しカバー１６０は、天空すなわち地上に垂直な方向を向いていて、その下に威嚇移動体１５０が位置している。これは、天空から侵入する鳥を対象にしたものだからである。鳥からは、常時は、隠しカバー１６０の下に隠れた威嚇移動体１５０は見えないが、所望の時に、突然、威嚇移動体１５０が飛び出し、鳥の視界に入るので、威嚇効果があがり、慣れも防げる。尚、鳥対応では、威嚇移動体１５０は、天敵である鷹や人間の形状をしたものがよい。平板状の形態より、人形のように立体的で実物に見えるほどよい。
【００１７】
図２は、本発明の移動体威嚇式鳥獣追い払い装置の他の一実施態様を示す図である。
図１では、支持柱１１０毎に隠しカバー１６０が存在したものだった。このため、所望の時に威嚇移動体１５０を見せたあと、そのまま、他方の隠しカバー１６０に隠してしまえば、一度毎に戻す必要がないものであった。次の所望の時には、戻す方向に引けば、威嚇に使えるわけであった。
図２では、支持柱１１０の一方側にしか隠しカバー１６０が存在していない。そのため、所望の時に威嚇移動体１５０を見せたあと、威嚇移動体１５０を戻すため、移動ワイヤー１２０を戻す方向に引く必要があるものである。
【００１８】
図３は、本発明の移動体威嚇式鳥獣追い払い装置の他の一実施態様を示す図である。
威嚇移動体１５０の欠点である長い距離の空間には向いていないという欠点を補うには、威嚇効果が期待できる距離毎に区切って全領域に対処しなければならない。図３はこのような対応をしたものである。全領域に渡って、威嚇効果が期待できる距離毎に支持柱１１０を立て、支持柱１１０には、隠しカバー１６０と威嚇移動体１５０が備えられ、威嚇移動体１５０は、移動ワイヤー１２０により引かれるようになっている。従って、移動ワイヤー１２０の引き、又は戻しにより、支持柱１１０間の間で威嚇移動体１５０が移動する。獣は、どこに近づいても一番近い隠しカバー１６０から威嚇移動体１５０から突出してくるので、極めて威嚇効果が高い。この例では、威嚇移動体１５０として、番犬、猟人のイラスト又は人形を配置して効果を上げている。
【００１９】
図３では、支持柱１１０ごとに隠しカバー１６０を取り付けていた。
図４は、本発明の移動体威嚇式鳥獣追い払い装置の他の一実施態様を示す図である。
隠しカバー１６０毎には支持柱１１０は存在しない例である。支持柱１１０間には、複数の隠しカバー１６０と威嚇移動体１５０が所望の間隔で配置されている。隠しカバー１６０と威嚇移動体１５０は、別々のワイヤーに支持され、威嚇移動体１５０を支持するワイヤーのみが、ワイヤー駆動装置１３０により駆動されている。隠しカバー支持体１７０は、動かないものである。こうすると、支持柱１１０が少ない分、設置費用を安価にできる。支持柱１１０の割合をどの程度にするかは、設計事項として決めればよい。
尚、隠しカバー支持体１７０は、動かないと記述したが、他のワイヤー駆動装置で
動かして、移動ワイヤー１２０と相異なる速度で動かすと、威嚇移動体１５０が見えたり、見えなかったり複雑になるので慣れ効果を低下することができる。
【００２０】
図５は、本発明の移動体威嚇式鳥獣追い払い装置の栽培場所の外周に設置する一実施態様を示す図である。栽培エリアの周囲にそって、図４のように、支持柱１１０と複数の隠しカバー１６０と威嚇移動体１５０を配置した例である。勿論、図３のような配置でも構わない。これにより、外周から侵入する獣を威嚇して追い払うことができる。
【００２１】
図６は、本発明の移動体威嚇式鳥獣追い払い装置の栽培エリアの天面に設置する一実施態様を示す図である。図６では、図１の１−Ｂで示したように、隠しカバー１６０は、天面すなわち地上に垂直な方向を向いている。この例では、栽培場所の両端に立てた支持柱１１０間に、図４と同じく、移動ワイヤー１２０と隠しカバー支持体１７０が設置され、所望の間隔で隠しカバー１６０と威嚇移動体１５０が配置されている。
各移動ワイヤー１２０は、ワイヤー駆動装置１３０により駆動される。この例では、威嚇移動体１５０として、鳥の天敵としてもっとも恐れられる鷹の獣形を用いている。
隠しカバー１６０は、天面に設置する場合には、天面すなわち地上に垂直な方向を向けて設置するため、例えば、隠しカバー支持体１７０がワイヤーや棒、棹などの形態をとる場合には、図６に示すように、隠しカバー支持体１７０と隠しカバー１６０の面の中心を所望の間隔で接続し、図のようにぶら下げる形態にすると、自然にバランスして、隠しカバー１６０の面は地上に垂直な方向を向く。威嚇移動体１５０は、隠しカバー１６０の下側に位置する。
【００２２】
図７は、本発明の移動体威嚇式鳥獣追い払い装置の威嚇移動体の一実施態様を示す図である。威嚇移動体１５０は、天敵の獣や人を模した形が相応しいことは述べたが、７−Ｂに示すように形が大きく変わるものや、７−Ｃの鷹の羽のように部分的動くものなどが効果がある。威嚇移動体１５０に付随して、光の明るさの激しくかわるもの、音の大きさが変わるものを同時に出せば、威嚇効果を高めることができる。
【００２３】
尚、威嚇移動体１５０を動かす所望の時に威嚇するとは、５分ごとに１回のように定期的にか、記述しなかった鳥獣の接近をセンサーで検知して、接近時毎に、威嚇する。センサーとしては、カメラによる画像センサー、鳴子のように鳥獣の接触により紐が動くことによる接触センサー、鳥獣の接触による電気的漏電を検知する電気センサー（電気柵との併用）など手段は沢山ある。
又、隠しカバー支持体１７０の形態としては、柱以外にワイヤーや棒、棹などの形態がとれる。そして、隠しカバー支持体１７０を支持するものとしては、支持柱１１０以外の立設柱も利用できるのは当然である。
尚、支持柱１１０以外の隠しカバー支持体１７０に隠しカバー１６０を付けた場合には、支持柱１１０の数を減らすことができ、安価な構成が可能である。
又、移動体威嚇式鳥獣追い払い装置が、他の威嚇音発生装置、威嚇光発生装置を同時に使用すれば、効果が更に上がることは勿論である。
【産業上の利用可能性】
【００２４】
以上のように本発明による移動体威嚇式鳥獣追い払い装置は、威嚇効果が高く、鳥獣が慣れを起こしにくいので、産業上利用して極めて好都合である。
【符号の説明】
【００２５】
１１０  支持柱
１１１  滑車
１２０  移動ワイヤー
１３０  ワイヤー駆動装置
１４０  制御器
１５０  威嚇移動体
１６０  隠しカバー
１７０  隠しカバー支持体
【図１】
2017070253.tif 000003
【図２】
2017070253.tif 000004
【図３】
2017070253.tif 000005
【図４】
2017070253.tif 000006
【図５】
2017070253.tif 000007
【図６】
2017070253.tif 000008
【図７】
2017070253.tif 000009
【図８】
2017070253.tif 000010